(57)【特許請求の範囲】
【請求項１】
長方形状の台車フレームと、前記台車フレームの一方の短辺に取り付けられるコ字状のハンドルフレームと、前記台車フレームの裏面に設置される、高輝度反射材で複数の矢印を表現した矢印プレートとから成り、
前記ハンドルフレームの上辺に重量を付加したことを特徴とする車線規制用矢印表示装置。
【請求項２】
前記ハンドルフレームの上辺に金属管を嵌装し、及び／又は、前記上辺の両端に錘を取り付けることにより重量を付加した、請求項１に記載の車線規制用矢印表示装置。
【請求項３】
前記矢印プレートはアルミ板であり、その四隅にキャスターが取り付けられている、請求項１又は２に記載の車線規制用矢印表示装置。
【請求項４】
前記台車フレームの各長辺に沿って、載置物を支持するサイドバーが配設されている、請求項１乃至３のいずれかに記載の車線規制用矢印表示装置。
【請求項５】
前記サイドバーにゴム製滑り止め材が定着されている、請求項４に記載の車線規制用矢印表示装置。
【請求項６】
前記サイドバー間の間隔は、カラーコーン（登録商標）のベースのサイズに対応している、請求項４又は５に記載の車線規制用矢印表示装置。
【発明の詳細な説明】
【技術分野】
【０００１】
本発明は車線規制用矢印表示装置に関するものであり、より詳細には、運搬・設置が容易で、作業員の運搬・設置の負担を軽減することができる車線規制用矢印表示装置に関するものである。
【背景技術】
【０００２】
高速道路や一般道路における事故発生時や道路工事等に際しては、交通規制のために各種規制器材が配置される。規制器材としては、矢印板及びカラーコーン（登録商標）（登録商標）が用いられることが多いが、それらを複数、巡回車から降ろして現場に運び入れる作業は、作業員にとって大きな負担となり、設置作業及び撤去作業にも時間がかかっていた。また、その作業時には、走行車に対して退避しずらい状況となるため、作業に時間がかかればかかるほど、危険の度合いが増すことになる。
【０００３】
通例、規制器材の設置時及び撤去時における移動作業は台車を用いて行われるが、一般の台車の場合、荷台が単なる平板状であり、矢印板及びカラーコーン（登録商標）を安定状態に載置し得る仕様にはなっていない。また、台車は、規制器材の移動作業後は不要となるので、片付けに手間がかかる。
【０００４】
かかる状況に鑑み、荷台の裏面に文字や図形等を表示可能にした表示機能付き手押し台車が提案されている（特開２０１９−１４７４４８号公報）。この提案に係る手押し台車は、交通規制現場に運び入れ、そのまま横倒しにして荷台裏面の表示を露出させ、その表示を走行車両から視認可能にするものである。
【先行技術文献】
【特許文献】
【０００５】
【特許文献１】特開２０１９−１４７４４８号公報
【発明の概要】
【発明が解決しようとする課題】
【０００６】
上記表示機能付き手押し台車の場合は、一般的な台車の仕様であるため、矢印板やカラーコーン（登録商標）等の規制器材の運搬に特化したものではないことはもちろん、全体重量が嵩むために、巡回車への搭載及び降ろし作業は作業者にとって負担となる。そこで本発明は、シンプルで比較的軽量な構成で取り扱いやすく、規制器材の移動、設置、撤去時における作業者の負担を軽減して、それらの作業の迅速化を図ることができ、また、大型車通過時等における風圧を受けてもずれ動くことが極力防止され、以て、適切な交通規制機能を維持することができる車線規制用矢印表示装置を提供することを課題とする。
【課題を解決するための手段】
【０００７】
上記課題を解決するための請求項１に記載の発明は、長方形状の台車フレームと、前記台車フレームの一方の短辺に取り付けられるコ字状のハンドルフレームと、前記台車フレームの裏面に設置される、高輝度反射材で複数の矢印を表現した矢印プレート板とから成り、前記ハンドルフレームの上辺に重量を付加したことを特徴とする車線規制用矢印表示装置である。
【０００８】
一実施形態においては、前記ハンドルフレームの上辺に金属管を嵌装し、及び／又は、前記上辺の両端に錘を取り付けることにより重量が付加される。
【０００９】
一実施形態においては、前記矢印プレートはアルミ板であり、また、前記矢印プレートの四隅にキャスターが取り付けられる。
【００１０】
一実施形態においては、前記台車フレームの各長辺に沿って、載置物を支持するためのサイドバーが配設される。また、前記サイドバーにゴム製滑り止め材が定着される。
【００１１】
一実施形態においては、前記サイドバー間の間隔は、カラーコーン（登録商標）のベースのサイズに対応する。
【発明の効果】
【００１２】
本発明に係る車線規制用矢印表示装置は上記のとおりのものであって、シンプルな構成で比較的軽量であり、また、規制器材である矢印板及びカラーコーン（登録商標）の載置、移動に好適であるので、車線規制箇所における規制器材の設置、撤去時における作業者の負担を軽減できて、それらの作業を迅速に且つ安全に行うことを可能にし、また、使用時に、大型車両の通過等に伴って風圧を受けてもずれ動くことが防止され、以て、適切な交通規制機能を維持することができる効果がある。
【図面の簡単な説明】
【００１３】
【図１】本発明に係る車線規制用矢印表示装置の正面図である。
【図２】本発明に係る車線規制用矢印表示装置の側面図である（ハンドルフレーム起立時）。
【図３】本発明に係る車線規制用矢印表示装置の側面図である（ハンドルフレーム折り畳み時）。
【図４】本発明に係る車線規制用矢印表示装置の平面図である（ハンドルフレーム起立時）。
【図５】本発明に係る車線規制用矢印表示装置の底面図である（ハンドルフレーム折り畳み時）。
【図６】図２におけるＡ−Ａ線断面図である。
【図７】図１におけるＢ−Ｂ線拡大断面図である。
【図８】本発明に係る車線規制用矢印表示装置による矢印板及びカラーコーン（登録商標）の搬送状態を示す図である。
【図９】本発明に係る車線規制用矢印表示装置と矢印板及びカラーコーン（登録商標）の配置例を示す図である。
【発明を実施するための形態】
【００１４】
本発明を実施するための形態につき、添付図面を参照しつつ詳細に説明する。本発明に係る車線規制用矢印表示装置は、長方形状の台車フレーム１と、台車フレーム１の一方の短辺１ａに取り付けられるコ字状のハンドルフレーム２と、台車フレーム１の裏面に設置される、高輝度反射材で複数の矢印４を表現した矢印プレート３とから成り、ハンドルフレーム２の上辺５に重量を付加したことを特徴とするものである。矢印プレート３は、通例、軽量なアルミ板である。
【００１５】
ハンドルフレーム２の上辺５へ重量を付加するためには、例えば、パイプ材で形成される上辺５内に、上辺５よりもわずかに小径の金属管１０を嵌装すればよい（図７参照）。あるいは、上辺５の両端に錘を取り付けることとしてもよい。本発明においてハンドルフレーム２の上辺５に重量を付加するのは、後述するように、大型車両通過時等における風対策である。
【００１６】
矢印プレート３の四隅にキャスター７が取り付けられる。キャスター７は、ストッパー付きのものであることが好ましい。また、ハンドルフレーム２は、一般の台車におけると同様の方法（ロック板９を用いる）で、台車フレーム１上に折り畳み可能にされる。
【００１７】
台車フレーム１の長辺１ｂ、１ｂを跨ぐように、物品の載置が可能である。本発明に係る規制用矢印板装置の場合の載置物は、主として自立型の矢印板１１及びカラーコーン（登録商標）１２である。そのため、台車フレーム１の長辺１ｂ、１ｂ間の間隔は、カラーコーン（登録商標）１２のベースのサイズに対応させる。また、長辺１ｂ、１ｂ上に矢印板１１及びカラーコーン（登録商標）１２を安定状態に保持するために、連結片８を介して長辺１ｂ、１ｂの外側に平行にサイドバー６、６が配設される。そして、好ましくは、サイドバー６にゴム製滑り止め材が被着される。
【００１８】
本発明に係る車線規制用矢印表示装置は、各巡回車に１台、複数の矢印板１１及びカラーコーン（登録商標）１２と共に搭載され、規制現場に持ち込まれる。本装置における台車フレーム１及びハンドルフレーム２は単なるパイプ材の枠組みであり、また、矢印プレート３は、比較的軽量なアルミ板であって、全体重量は作業者に負担とならないレベルであるため、巡回車への搬入・搬出は容易である。
【００１９】
規制現場に到着後作業者は、ハンドルフレーム２を畳んだ状態の本装置を降ろし、ハンドルフレーム２を起こした後、台車フレーム１の後半部（ハンドルフレーム２側）に、複数の矢印板１１を立てた状態でサイドバー６，６間に渡して載置し、前半部に、スタッキングした複数のカラーコーン（登録商標）１２を載置する。その際カラーコーン（登録商標）１２は、両側をサイドバー９，１０によって押さえ止められるため、横ずれして落下することなく、安定した状態で移動させることができる。また、特にサイドバー６にゴム製滑り止め材が被着されている場合、矢印板１１の横滑りが防止される。
【００２０】
設置個所に移動後作業者は、矢印板１１及びカラーコーン（登録商標）１２を降ろした本装置を、台車フレーム１裏面の矢印プレート３が車両の進行方向に向くようにして横倒しにする。台車フレーム１は、ハンドルフレーム２に支持されて倒れることはない。図９に示されるように、本装置は、予告板として使用するため、最前位置に配置され、矢印板１１及びカラーコーン（登録商標）１２は、その後方位置に適宜配列される。また、発煙筒が適宜配置される。
【００２１】
本装置は、上記のように横倒しして使用するが、一般の台車よりも軽量である。そのため、大型車両等の通過に伴って風圧を受けることでずれ動くおそれがある。しかるに、本装置の場合は、ハンドルフレーム２の上辺５に重量が付加されていて、その風圧に対して大きな抵抗となるので、風圧によってずれ動くことが回避される。
【産業上の利用可能性】
【００２２】
本発明に係る車線規制用矢印表示装置は上記のとおりのものであって、シンプルな構成で比較的軽量であり、また、規制器材である矢印板１１及びカラーコーン（登録商標）１２の載置、移動に好適であるので、車線規制箇所における規制器材の設置、撤去時における作業者の負担を軽減できて、それらの作業を迅速に且つ安全に行うことを可能にし、また、使用時に、大型車両の通過等に伴って風圧を受けてもずれ動くことが防止され、以て、適切な交通規制機能を維持することができる効果があるので、その産業上の利用可能性は大である。
【符号の説明】
【００２３】
１        台車フレーム
１ａ      短辺
１ｂ      長辺
２        ハンドルフレーム
３        矢印プレート
４        矢印
５        上辺
６        サイドバー
７        キャスター
８        連結板
９        ロック板
１０      金属管
１１      矢印板
１２      カラーコーン（登録商標）
【要約】
【課題】シンプルで比較的軽量な構成で取り扱いやすく、規制器材の移動、設置、撤去時における作業者の負担を軽減して、それらの作業の迅速化を図ることができ、また、大型車通過時等における風圧を受けてもずれ動くことが極力防止され、以て、適切な交通規制機能を維持することができる車線規制用矢印表示装置を提供することを課題とする。
【解決手段】長方形状の台車フレーム１と、台車フレーム１の一方の短辺１ａに取り付けられるコ字状のハンドルフレーム２と、台車フレーム１の裏面に設置される、高輝度反射材で複数の矢印４を表現した矢印プレート３とから成り、ハンドルフレーム２の上辺５に重量を付加した。ハンドルフレーム２の上辺５に金属管を嵌装し、及び／又は、上辺５の両端に錘を取り付けることにより重量が付加される。
【選択図】図４【図１】
0006931141.tif 000002
【図２】
0006931141.tif 000003
【図３】
0006931141.tif 000004
【図４】
0006931141.tif 000005
【図５】
0006931141.tif 000006
【図６】
0006931141.tif 000007
【図７】
0006931141.tif 000008
【図８】
0006931141.tif 000009
【図９】
0006931141.tif 000010